(57)【要約】【課題】装置の設置状況等の理由によってリーダライタを用いた装置に内蔵されたＲＦタグへの無線通信が困難な場合であっても、ＲＦタグに記憶された情報の更新を容易にする、表示装置、表示方法、および表示プログラムを提供する。【解決手段】表示装置は、外部タグを検出する検出部と、検出部が検出した外部タグに記憶された情報を検証する検証部と、検証部が検証した検証結果に基づき、外部タグと内部タグに記憶する情報を共有化する共有化部と、内部タグと通信して共有化部で共有化された内部タグに記憶された情報を読取る内部タグ通信部と、内部タグ通信部で読取られた内部タグに記憶された情報に基づき画像を表示する画像表示部とを備える。【選択図】図７
2016206855.tif 000002
【特許請求の範囲】
【請求項１】
外部タグを検出する検出部と、
前記検出部が検出した外部タグに記憶された情報を検証する検証部と、
前記検証部が検証した検証結果に基づき、前記外部タグと内部タグに記憶する情報を共有化する共有化部と、
前記内部タグと通信して前記共有化部で共有化された前記内部タグに記憶された情報を読取る内部タグ通信部と、
前記内部タグ通信部で読取られた前記内部タグに記憶された情報に基づき画像を表示する画像表示部と
を備える、表示装置。
【請求項２】
前記検証部は、前記外部タグに記憶された更新用フラグがオン状態であるときに前記外部タグに記憶された情報を検証する、請求項１に記載の表示装置。
【請求項３】
前記共有化部は、前記内部タグに記憶された情報を更新した前記外部タグの前記更新用フラグをオフ状態にする、請求項２に記載の表示装置。
【請求項４】
前記共有化部は、前記外部タグに記憶された情報に基づき前記内部タグに記憶された情報を更新することにより情報を共有化する、請求項１から３のいずれか１項に記載の表示装置。
【請求項５】
前記外部タグに接続されたコネクタを装着可能であって、前記コネクタが装着されたときに前記外部タグと通信可能な外部タグ接続部をさらに備える、請求項１から４のいずれか１項に記載の表示装置。
【請求項６】
前記外部タグ接続部は、電源コンセントに差込み可能な差込みプラグに内蔵された前記外部タグと、前記差込みプラグと前記コネクタを接続するケーブルを介して通信可能な、請求項５に記載の表示装置。
【請求項７】
前記差込みプラグと接続された
前記外部タグ接続部に隣接して配置され、前記コネクタが前記外部タグ接続部に接続されているときに、前記コネクタを装着可能な電源接続部をさらに備え、
前記電源接続部は、前記差込みプラグが電源コンセントに差込まれているときに、前記コネクタから電力が供給される、請求項６に記載の表示装置。
【請求項８】
外部タグを検出する検出ステップと、
前記検出ステップにおいて検出された外部タグに記憶された情報を検証する検証ステップと、
前記検証ステップにおいて検証された検証結果に基づき、前記外部タグと内部タグに記憶する情報を共有化する共有化ステップと、
前記内部タグと通信して前記共有化ステップで共有化された前記内部タグに記憶された情報を読取る内部タグ通信ステップと、
前記内部タグ通信ステップで読取られた前記内部タグに記憶された情報に基づき画像を表示する画像表示ステップと
を含む、表示方法。
【請求項９】
外部タグを検出する検出処理と、
前記検出処理において検出された外部タグに記憶された情報を検証する検証処理と、
前記検証処理において検証された検証結果に基づき、前記外部タグと内部タグに記憶する情報を共有化する共有化処理と、
前記内部タグと通信して前記共有化処理で共有化された前記内部タグに記憶された情報を読取る内部タグ通信処理と、
前記内部タグ通信処理で読取られた前記内部タグに記憶された情報に基づき画像を表示する画像表示処理と
をコンピュータに実行させるための、表示プログラム。
【発明の詳細な説明】
【技術分野】
【０００１】
本発明は、表示装置、表示方法、および表示プログラムに関する。
【背景技術】
【０００２】
近距離無線通信において近距離無線通信タグから読み込んだタグ情報に適合するアプリケーションを自動で選択し実行できるようにする端末装置が知られている（例えば、特許文献１を参照）。
【０００３】
また、ＲＦ（Ｒａｄｉｏ  Ｆｒｅｑｕｅｎｃｙ）タグの状態に応じて機能を制御する携帯電話装置が知られている（例えば、特許文献２を参照）。
【先行技術文献】
【特許文献】
【０００４】
【特許文献１】特開２０１３−０４５４６２号公報
【特許文献２】特開２００６−３１９８７８号公報
【発明の概要】
【発明が解決しようとする課題】
【０００５】
しかし、従来の装置は、装置の設置状況等の理由によってリーダライタを用いた装置に内蔵されたＲＦタグへの無線通信が困難な場合、ＲＦタグに記憶された情報を更新するのが容易ではない場合があった。
【０００６】
本発明は、上記問題を解決するためになされたものであり、装置の設置状況等の理由によってリーダライタを用いた装置に内蔵されたＲＦタグへの無線通信が困難な場合であっても、ＲＦタグに記憶された情報の更新を容易にする、表示装置、表示方法、および表示プログラムを提供することを目的とする。
【課題を解決するための手段】
【０００７】
上記の課題を解決するため、本発明の一態様である表示装置は、外部タグを検出する検出部と、前記検出部が検出した外部タグに記憶された情報を検証する検証部と、前記検証部が検証した検証結果に基づき、前記外部タグと内部タグに記憶する情報を共有化する共有化部と、前記共有化部で共有化された前記内部タグと通信して前記内部タグに記憶された情報を読取る内部タグ通信部と、前記内部タグ通信部で読取られた前記内部タグに記憶された情報に基づき画像を表示する画像表示部とを備える。
【０００８】
また、上記の課題を解決するため、本発明の一態様である表示方法は、外部タグを検出する検出ステップと、前記検出ステップにおいて検出された外部タグに記憶された情報を検証する検証ステップと、前記検証ステップにおいて検証された検証結果に基づき、前記外部タグと内部タグに記憶する情報を共有化する共有化ステップと、前記共有化ステップで共有化された前記内部タグに記憶された情報を読取る読取ステップと、前記読取ステップで読取られた前記内部タグに記憶された情報に基づき画像を表示する画像表示ステップとを含む。
【０００９】
また、上記の課題を解決するため、本発明の一態様である表示プログラムは、外部タグを検出する検出処理と、前記検出処理において検出された外部タグに記憶された情報を検証する検証処理と、前記検証処理において検証された検証結果に基づき、前記外部タグと内部タグに記憶する情報を共有化する共有化処理と、前記共有化処理で共有化された前記内部タグに記憶された情報を読取る読取処理と、前記読取処理で読取られた前記内部タグに記憶された情報に基づき画像を表示する画像表示処理とをコンピュータに実行させる。
【発明の効果】
【００１０】
本発明によれば、装置の設置状況等の理由によってリーダライタを用いた装置に内蔵されたＲＦタグへの無線通信が困難な場合であっても、ＲＦタグに記憶された情報の更新を容易にする、表示装置、表示方法、および表示プログラムを提供することができる。
【図面の簡単な説明】
【００１１】
【図１】本発明の一実施形態である表示装置の構成を例示するブロック図である。
【図２】コネクタが接続される外部タグ接続部及びＡＣ電源接続部の外観を例示する図である。
【図３】制御部の動作を例示すフローチャートである。
【図４】制御部のデータ更新処理を例示すフローチャートである。
【図５】画像表示部の外観を例示する、（Ａ）正面図、及び（Ｂ）背面図である。
【図６】複数の画像表示部を配置するマルチディスプレイシステムを例示する、（Ａ）正面図、及び（Ｂ）背面図である。
【図７】本発明の他の実施形態である表示装置の構成を例示するブロック図である。
【発明を実施するための形態】
【００１２】
以下、本発明を実施するための形態について、図面を参照して詳細に説明する。
先ず、図１を用いて、表示装置の構成を説明する。図１は、本発明の一実施形態である表示装置の構成を例示するブロック図である。図１において、表示装置１は、制御部１０、メモリ部１１、内部タグ１２、画像処理部１３、画像表示部１４、外部タグ接続部１５、及び、電源部１６を備える。表示装置１には、コネクタ２１が接続される。コネクタ２１は、ケーブル２１１を介して外部タグ内蔵ＡＣアダプタ２２に接続される。外部タグ内蔵ＡＣアダプタ２２は、差込みプラグ２２２を図示しないプラグ受け（コンセント）に差し込むことにより、ケーブル２１１を介して表示装置１にＡＣ電力を供給する。外部タグ内蔵ＡＣアダプタ２２は、外部タグ２２１を内蔵している。外部タグ２２１は、ケーブル２１１を介して表示装置１と通信する。なお、ケーブル２１１は、多芯ケーブルを用いて、ＡＣ電力を供給する電力ケーブルと、外部タグ２２１との通信で用いる通信ケーブルを有するものとする。
【００１３】
制御部１０は、検出部１０１、検証部１０２、共有化部１０３、及び内部タグ通信部１０４を備える。本実施形態では、制御部１０は、プログラムを実行するＣＰＵ（Ｃｅｎｔｒａｌ  Ｐｒｏｃｅｓｓｉｎｇ  Ｕｎｉｔ）によって実現することができる。また、制御部１０における、検出部１０１、検証部１０２、共有化部１０３、及び内部タグ通信部１０４の各機能ブロックは、ＣＰＵによって実行されるプログラムによって実現することができる。本実施形態では、検出部１０１、検証部１０２、共有化部１０３、及び内部タグ通信部１０４の各機能ブロックは、それぞれ１つのプログラムとして説明するが、プログラムの構成は任意である。例えば、複数の機能ブロックを１つのプログラムで構成してもよく、また１つの機能ブロックを複数のプログラムで構成してもよい。
【００１４】
メモリ部１１は、制御部１０で実行されるプログラムや制御部１０で使用されるデータを記憶する。メモリ部１１は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）によって構成することができる。メモリ部１１は不揮発性メモリを含んでいてもよい。また、メモリ部１１は、ハードディスクドライブ等の記憶装置を含んでいてもよい。メモリ部１１はＲＡＭに、検出部１０１、検証部１０２、共有化部１０３、及び内部タグ通信部１０４のプラグラムを制御部１０によって実行可能に記憶してもよい。また、メモリ部１１は不揮発性メモリに、表示装置１の型式情報等、表示装置１の情報、画像処理で使用される各種パラメータ等を記憶してもよい。
【００１５】
内部タグ１２及び外部タグ２２１は、タグの内部に記憶された情報（データ）を近距離無線によって読み書き可能にしている。本実施形態では、内部タグ１２及び外部タグは、ＲＦＩＤ（Ｒａｄｉｏ  Ｆｒｅｑｕｅｎｃｙ  ＩＤｅｎｔｉｆｉｅｒ）が組み込まれたＲＦタグである場合を例示する。ＲＦタグは、電池を内蔵するアクティブ型、電池を内蔵しないパッシブ型のいずれであってもよい。また、ＲＦタグは、電磁誘導方式、または電波方式のいずれの方式であってもよい。
【００１６】
本実施形態において、内部タグ１２及び外部タグ２２１は、近距離無線による通信に加えて、有線による通信も可能であるものとする。有線による通信としては、Ｉ２Ｃ（Ｉｎｔｅｒ−Ｉｎｔｅｇｒａｔｅｄ  Ｃｉｒｃｕｉｔ）通信を用いることができる。Ｉ２Ｃ通信は、１００ＫＨｚ又は４００ＫＨｚの通信速度のシリアル通信である。内部タグ１２は、後述する内部タグ通信部１０４と有線によるＩ２Ｃ通信をするものとする。また、外部タグ２２１は、後述する外部タグ接続部１５を介して制御部１０と有線によるＩ２Ｃ通信をするものとする。なお、本実施形態では、内部タグ１２および外部タグ２２１はＩ２Ｃ通信を行うものとして説明するが、有線による通信方式はＩ２Ｃ通信には限定されない。有線による通信方式としては、例えば、ＳＰＩ（Ｓｅｒｉａｌ  Ｐｅｒｉｐｈｅｒａｌ  Ｉｎｔｅｒｆａｃｅ）通信等の通信方式を用いてもよい。
【００１７】
ＲＦタグに記憶された情報は、リーダライタを用いた無線通信によって読み書きが可能である。ＲＦタグを読み書きするには、リーダライタを無線通信が可能な位置までＲＦタグに接近させることが必要となる。ＲＦタグの種類によっては、リーダライタをＲＦタグに数ｃｍの距離まで近づける必要がある場合がある。例えば、表示装置１が壁に埋め込まれたり、高所狭所に設置されたりする表示装置１の設置環境では、リーダライタを表示装置１に配置された内部タグ１２に接近させることが困難な場合がある。
本実施形態では、外部タグ内蔵ＡＣアダプタ２２に内蔵された外部タグ２２１は、コネクタ２１及びケーブル２１１を介して表示装置１に接続されている。したがって、上記の様な表示装置１の設置環境であっても、外部タグ内蔵ＡＣアダプタ２２は、表示装置１と分離させることが可能になるため、リーダライタを用いた外部タグ２２１への情報の読み取りや書き込みは容易になる。すなわち、コネクタ２１を表示装置１から外すことにより自由に移動させることが可能となる。また、コネクタ２１が表示装置１に接続されている場合であっても、外部タグ内蔵ＡＣアダプタ２２はケーブル２１１の長さに応じて自由に移動が可能となる。
【００１８】
なお、本実施形態では、外部タグ２２１を内蔵した外部タグ内蔵ＡＣアダプタ２２は、１台の表示装置１に対して１つを接続する場合を例示するが、複数の表示装置１で１台の外部タグ内蔵ＡＣアダプタ２２を共有するようにしてもよい。複数の表示装置１で１台の外部タグ内蔵ＡＣアダプタ２２を共有することにより、コストの低減を図ることができる。また、本実施形態では、複数の表示装置１で１台の外部タグ内蔵ＡＣアダプタ２２を共有しても不具合が生じないようにしている。外部タグ内蔵ＡＣアダプタ２２を共有する場合の詳細は後述する。
【００１９】
本実施形態では、内部タグ１２及び外部タグ２２１には、以下のフラグ情報が読み書き可能に記憶されるものとする。
【００２０】
内部タグ１２には、初期状態フラグ（Ｉｎｉｔｉａｌ  Ｆｌａｇ）が記憶される。初期状態フラグは、内部タグ１２に記憶されるフラグの１つであり、内部タグ１２が初期状態であるか否かを示す。初期状態フラグがオフ状態（Ｉｎｉｔｉａｌ  Ｆｌａｇ＝“０”）である場合、内部タグ１２には、情報が記憶されていない、又は内部タグ１２に記憶された情報が無効であり、内部タグ１２に記憶された情報を利用できないことを示す。一方、初期状態フラグがオン状態（Ｉｎｉｔｉａｌ  Ｆｌａｇ＝“１”）である場合、内部タグ１２には、情報が記憶されている、又は内部タグ１２に記憶された情報が有効であり、内部タグ１２に記憶された情報を利用できることを示す。
【００２１】
外部タグ２２１には、アップデートフラグ（Ｕｐｄａｔｅ  Ｆｌａｇ）が記憶される。アップデートフラグは、外部タグ２２１に記憶されるフラグの１つであり、外部タグ２２１に記憶された情報に基づき、情報の更新が可能か否かを示す。アップデートフラグがオン状態（Ｕｐｄａｔｅ  Ｆｌａｇ＝“１”）である場合には、外部タグ２２１に記憶された情報に基づく情報の更新が有効であることを示す。一方、アップデートフラグがオフ状態（Ｕｐｄａｔｅ  Ｆｌａｇ＝“０”）である場合には、外部タグ２２１に記憶された情報に基づく情報の更新が無効であることを示す。
なお、初期状態フラグ及びアップデートフラグを用いた処理の詳細は後述する。
【００２２】
内部タグ１２および外部タグ２２１には、さらに、表示装置１で使用されるパラメータやプログラムを記憶させておくことができる。例えば、内部タグ１２および外部タグ２２１には、画像処理部１３で利用されるＬＵＴ（ＬｏｏｋＵｐ  Ｔａｂｌｅ）等の画像処理用のパラメータを記憶させておくことができる。また、内部タグ１２および外部タグ２２１には、制御部１０で実行されるプログラムのパッチデータ（更新データ）を記憶させておいてもよい。
【００２３】
画像処理部１３は、画像表示部１４に出力する画像データに対する画像処理をする。画像処理部１３は、図示しない外部のＰＣ等から入力される映像信号に対して、ＡＤ（Ａｎａｌｏｇ−ｔｏ−ｄｉｇｉｔａｌ）変換、同期信号分離、フレームメモリに対する画像データの書き込みおよび読み出し等の画像処理を行う。画像処理部１３は、例えば、アナログＲＧＢ信号をデジタル信号に変換するＡＤコンバータの機能、ＤＶＩ（Ｄｉｇｉｔａｌ  Ｖｉｓｕａｌ  Ｉｎｔｅｒｆａｃｅ）デジタル信号をデジタルＲＧＢ（Ｒｅｄ  Ｇｒｅｅｎ  Ｂｌｕｅ）信号に変換するＤＶＩレシーバ機能、アナログＲＧＢ信号とＤＶＩデジタル信号のどちらの信号による画像を表示するかを選択するセレクタ機能、デジタルＲＧＢ信号の解像度を画像表示部１４の解像度に合せる解像度変換機能、ＲＧＢ信号で入力された入力画像に対してＬＵＴを用いて色温度の調整やガンマ補正を行う色温度調整機能やガンマ補正機能等を有していてもよい。これらの機能は、内部タグ１２に記憶されたパラメータに基づき動作するものであってもよい。例えば、内部タグ１２にＬＵＴパラメータを数種類記憶させておくことにより、画像処理部１３は、所定の条件に基づいてＬＵＴパラメータを選択するようにしてもよい。
【００２４】
画像表示部１４は、画像処理部１３で処理された画像データに基づき画像を表示する。画像表示部１４は、例えば、液晶ディスプレイである。画像表示部１４は、図５等で後述する筐体部分に通知用ＬＥＤ１４１を有している。通知用ＬＥＤ１４１は、図３及び図４を用いて後述する更新処理において、内部タグ１２に記憶された情報が更新されたことを点灯状態によってユーザに通知するＬＥＤである。
【００２５】
外部タグ接続部１５は、コネクタ２１が接続されて、外部タグ２２１とＩ２Ｃ通信によって通信を行うインターフェースである。外部タグ接続部１５は、Ｉ２Ｃ通信において、外部タグ２２１をスレーブとするマスタ機能を備えていてもよい。外部タグ接続部１５は、Ｉ２Ｃ通信によって、外部タグ２２１に記憶された情報を読み書きする。本実施形態では、外部タグ接続部１５に接続される外部タグ２２１が１つの場合を例示する。しかし、外部タグ接続部１５は、複数の外部タグと通信できるものであってもよい。例えば、外部タグ内蔵ＡＣアダプタ２２に複数の外部タグ２２１が内蔵されている場合、外部タグ接続部１５は、複数の外部タグ２２１の中のいずれかの外部タグ２２１と通信するようにしてもよい。外部タグ２２１に所定のアドレスが割り当てて、外部タグ接続部１５は、割り当てられたアドレスの外部タグ２２１と通信を行うことができる。本実施形態では、外部タグ接続部１５は、Ｉ２Ｃ通信の通信データに所定のアドレスを含ませて、その通信データに対する応答（Ａｃｋ）によって外部タグ２２１とのデータの送受信を行う。
【００２６】
電源部１６は、表示装置１で使用する電力を供給する。電源部１６は、ＡＣ電源接続部１６１を有する。ＡＣ電源接続部１６１は、コネクタ２１が接続される。ＡＣ電源接続部１６１は、外部タグ内蔵ＡＣアダプタ２２の差込みプラグ２２２がコンセントに差し込まれたときに、ケーブル２１１およびコネクタ２１を介して、ＡＣ電力の供給を受ける。電源部１６は、ＡＣ電源接続部１６１から供給されたＡＣ電力をＤＣ電力に変換して表示装置１の各部に供給してもよい。
【００２７】
本実施形態では、コネクタ２１は、外部タグ接続部１５に接続されると同時にＡＣ電源接続部１６１にも接続される。すなわち、コネクタ２１のハウジングには、外部タグ接続部１５に接続される部位とＡＣ電源接続部１６１に接続される部位とが存在する。コネクタ２１は、外部タグ接続部１５とＡＣ電源接続部１６１に接続されることにより、外部タグ接続部１５と外部タグ２２１を接続して通信可能にするとともに、ＡＣ電源接続部１６１と差込みプラグ２２２を接続してＡＣ電力を供給可能にすることができる。なお、コネクタ２１の接続形状については、図３を用いて後述する。
【００２８】
次に制御部１０が備える、検出部１０１、検証部１０２、共有化部１０３、及び内部タグ通信部１０４の詳細を説明する。
【００２９】
検出部１０１は、外部タグ２２１を検出する。外部タグ内蔵ＡＣアダプタ２２に内蔵された外部タグ２２１は、ケーブル２１１及びコネクタ２１を介して外部タグ接続部１５に接続される。検出部１０１は、コネクタ２１が外部タグ接続部１５に接続されると、コネクタ２１及びケーブル２１１を介して有線で接続された外部タグ２２１を検出する。検出部１０１は、Ｉ２Ｃ通信を用いて接続された外部タグ２２１を検出する。例えば、検出部１０１は、シリアル通信を用いてデータを外部タグ２２１に送信し、送信したデータに対する外部タグ２２１からの応答（Ａｃｋ）を検出することにより外部タグ２２１が接続されたことを検出する。外部タグ２２１は、コネクタ２１が接続される外部タグ接続部からケーブル２１１を介した有線で電力を受けることによって、外部タグ２２１の内部又は外部タグ内蔵ＡＣアダプタ２２に電源を有しないでシリアル通信を行うことができる。
【００３０】
検証部１０２は、検出部１０１が検出した外部タグ２２１に記憶された情報に基づきデータ更新処理が可能であるか否かを検証する。検証部１０２は、外部タグ２２１に記憶された情報に基づきデータ更新処理が可能であるか否かを、上述したアップデートフラグがオン状態であるか否かで判断する。検証部１０２は、アップデートフラグがオン状態である場合、外部タグ２２１に記憶された情報に基づきデータ更新処理が可能であると判断する。検証部１０２は、シリアル通信によって外部タグ２２１に記憶されたアップデートフラグを読出すことにより、オン状態であるかオフ状態であるかを判断することができる。
【００３１】
また、検証部１０２は、内部タグ１２が初期状態であるか否かを検証する。検証部１０２は、内部タグ１２が初期状態であるか否かを、上述したイニシャルフラグがオン状態であるか否かで判断する。本実施形態では、イニシャルフラグがオフ状態であるとき、すなわち、内部タグ１２に情報が書き込まれて初期状態でないときに、内部タグ１２に記憶された情報が制御部１０に読み出されて、上述した画像処理等に使用される。
【００３２】
なお、本実施形態では、検証部１０２が、内部タグ１２が初期状態であるか否かを判断する場合を例示したが、内部タグ１２が初期状態であるか否かの判断は、内部タグ通信部１０４等、制御部１０の他の機能ブロックにおいて実施するようにしてもよい。
また、検証部１０２は、アップデートフラグの状態を判断することによって外部タグ２２１に記憶された情報を検証することに加えて、外部タグ２２１に記憶された情報の正当性を検証するようにしてもよい。例えば、、検証部１０２は、、外部タグ２２１に記憶された情報に対してパリティチェック等のエラー検出の処理を行ってもよい。また、表示装置１は、検証部１０２において検証の対象となる外部タグ２２１のＩＤを予め記憶しておき、検証部１０２は、検出部１０１で検出された外部タグ２２１のＩＤが、予め記憶されているＩＤと合致するか否かで外部タグ２２１に記憶された情報の正当性を検証してもよい。また、外部タグ２２１に記憶された情報に表示装置１の型式情報等を含ませて、型式情報が表示装置１の型式と合致するか否かで外部タグ２２１に記憶された情報の正当性を検証してもよい。
【００３３】
共有化部１０３は、検証部１０２が検証した検証結果に基づき、外部タグ２２１と内部タグ１２に記憶する情報を共有化する。本実施形態において共有化とは、外部タグ２２１に記憶された情報と内部タグ１２に記憶された情報とを同一の情報に共有化することをいう。共有化部１０３は、外部タグ２２１に記憶された情報を外部タグ接続部１５を介して読込む。また、共有化部１０３は、内部タグ１２に記憶された情報を、後述する内部タグ通信部１０４を介して読込む。情報の共有化は、例えば、共有化部１０３が、外部タグ２２１に記憶された情報を内部タグ１２に複写（コピー）して書き込むことによって行う。また、情報の共有化は、共有化部１０３が、内部タグ１２に記憶された情報を外部タグ２２１に複写して書き込むことによって行う。
【００３４】
検証部１０２が外部タグ２２１に記憶されたアップデートフラグがオン状態であると判断したことに基づき、共有化部１０３は、外部タグ２２１に記憶された情報と内部タグ１２に記憶された情報の新旧を比較する。共有化部１０３は、内部タグ１２に記憶された情報を後述する内部タグ通信部１０４を介して取得するものとする。情報の新旧の比較は、例えば、情報の作成又は更新日時、バージョン番号等の属性情報の比較等によって行うことができる。共有化部１０３は、外部タグ２２１に記憶された情報が内部タグ１２に記憶された情報より新しいと判断したときには、外部タグ２２１に記憶された情報を内部タグ１２に複写することにより、内部タグ１２に記憶された情報を更新する。一方、共有化部１０３は、外部タグ２２１に記憶された情報が内部タグ１２に記憶された情報より古いと判断したときには、内部タグ１２に記憶された情報を外部タグ２２１に複写することにより、外部タグ２２１に記憶された情報を更新する。なお、本実施形態では、情報の新旧の比較を共有化部１０３が実行する場合を例示したが、例えば、検証部１０２等、制御部１０の他の機能ブロックにおいて実行するようにしてもよい。
【００３５】
内部タグ通信部１０４は、内部タグ１２とＩ２Ｃ通信を行い、内部タグ１２に記憶された情報の読み書きを行う。内部タグ通信部１０４は、内部タグ１２と有線による通信を行うことによって、表示装置１におえる内部タグ１２の配置位置にかかわらず安定的な通信を行うことができる。例えば、表示装置１の筐体の外部に内部タグ１２を配置する場合であっても、内部タグ１２と内部タグ通信部１０４の通信は筐体の材質等には影響されない。また、内部タグ通信部１０４は、内部タグ１２と有線による通信を行うことにより、例えば、表示装置を複数隣接して配置する場合であっても、隣接した表示装置の内部タグとの干渉を避けることが可能となる。
【００３６】
なお、内部タグ通信部１０４は、図示しないアンテナを介して内部タグ１２と無線通信を行うものであってもよい。内部タグ通信部１０４と内部タグ１２の間で、有線による通信を可能にするとともに無線による通信による通信を可能にすることにより、例えば有線で接続された内部タグ１２に加えて無線で通信する内部タグを追加して配置することが可能となる。
また、内部タグ１２は、表示装置１の所定の場所に配置することができるので、内部タグ１２と内部タグ通信部１０４の通信環境を一定にすることが可能となる。
以上で、図１を用いた表示装置１の構成の説明を終了する。
【００３７】
次に、図２を用いて、外部タグ接続部１５とＡＣ電源接続部１６１の外観を説明する。図２は、コネクタが接続される外部タグ接続部１５及びＡＣ電源接続部１６１の外観を例示する図である。
【００３８】
図２において、外部タグ接続部１５とＡＣ電源接続部１６１は、図示上下に隣接して配置されている。外部タグ接続部１５は、接触子１５１を有する。ＡＣ電源接続部１６１は、規格化された形状の電源端子と接地端子を有する。すなわち、ＡＣ電源接続部１６１の端子形状は、従来のＡＣ電源ケーブルが接続できる形状である。したがって、コネクタ２１を使用して外部タグ２２１との通信をしない場合には、従来のＡＣ電源ケーブルを使用することができる。コネクタ２１は、外部タグ接続部１５とＡＣ電源接続部１６１に同時に接続できる形状を具えているものとする。すなわち、コネクタ２１は、ＡＣ電源接続部１６１に対してＡＣ電力を供給すると同時に、外部タグ接続部１５と接続することにより、外部タグ接続部１５と外部タグ２２１とを通信可能にすることができる。
【００３９】
本実施形態では、接触子１５１は、１５１ａ〜１５１ｄの４本である場合を例示している。Ｉ２Ｃ通信においては、ＤＡＴＡ線とＣＬＯＣＫ線の２線において通信を行う。例えば、接触子１５１ａを電源端子、接触子１５１ｂをＧＮＤ端子、接触子１５１ｃをＣＬＯＣＫ端子、接触子１５１ｄをＤＡＴＡ端子とする。なおＩ２Ｃ通信においては、外部タグ接続部１５におけるＤＡＴＡ線とＣＬＯＣＫ線を用いた通信は、オープンドレイン出力＋プルアップの構成で行うことができる。上述した外部タグ２２１からの応答（Ａｃｋ）は、外部タグ接続部１５がデータ出力後にＤＡＴＡ線をプルアップによるＨｉｇｈ状態にして、外部タグ２２１がＤＡＴＡ線をＬｏｗ状態にする応答を外部タグ接続部１５が確認することによって検出することがでいる。なお、上記は外部タグ接続部１５と外部タグ２２１のＩ２Ｃ通信における端子構成について説明したが、内部タグ通信部１０４と内部タグ１２とのＩ２Ｃ通信においても同様の端子構成によって接続することができる。
【００４０】
なお、図２においては、外部タグ接続部１５とＡＣ電源接続部１６１を図示上下に隣接して配置する場合を説明したが、外部タグ接続部１５とＡＣ電源接続部１６１の配置方法はこれに限定されない。例えば、外部タグ接続部１５とＡＣ電源接続部１６１を図示左右に隣接して配置してもよい。また、本実施形態では、コネクタ２１のハウジングは外部タグ接続部１５とＡＣ電源接続部１６１に同時に接続される形状である場合を例示したが、例えば、ケーブル２１１の先端でコネクタハウジングを２つに分岐させて、それぞれのハウジングが外部タグ接続部１５とＡＣ電源接続部１６１に別々に接続されるようにしてもよい。
以上で、図２を用いた、外部タグ接続部１５とＡＣ電源接続部１６１の外観の説明を終了する。
【００４１】
次に、図３及び図４を用いて、制御部１０の動作を説明する。図３は、制御部１０の動作を例示すフローチャートである。図４は、制御部１０のデータ更新処理を例示すフローチャートである。図３及び図４に示すフローチャートは、表示装置１に電源が投入されたとき、またはリセット操作がされたとき等においてスタートする初期動作を示している。
【００４２】
図３において、制御部１０の検出部１０１は、外部タグ２２１を検出したか否かを判断する（ステップＳ１１）。外部タグ２２１を検出したか否かを判断は、検出部１０１が外部タグ２２１からの応答（Ａｃｋ）を受信したか否かで判断される。すなわち、制御部１０の検出部１０１は、コネクタ２１が外部タグ接続部１５に接続されているときに応答を受信することができる。
【００４３】
ステップＳ１１の処理において、外部タグ２２１を検出したと判断した場合（ステップＳ１１；ＹＥＳ）、制御部１０の検証部１０２は、外部タグ２２１のアップデートフラグがオン状態であるか否かを判断する（ステップＳ１２）。外部タグ２２１のアップデートフラグがオン状態であるか否かの判断は、外部タグ接続部１５が読み出したアップデートフラグの状態によって判断することができる。ステップＳ１２においては、外部タグ接続部１５は、アップデートフラグを読み出すとともに、外部タグ２２１に記憶された情報を読み出すようにしてもよい。
【００４４】
一方、ステップＳ１１において、外部タグ２２１を検出していないと判断した場合（ステップＳ１１；ＮＯ）、制御部１０は、ステップＳ１２の処理をスキップして、ステップＳ１３の処理を実行する。検出部１０１は、例えば、コネクタ２１が外部タグ接続部１５に接続されていないときに外部タグ２２１を検出していないと判断する。
【００４５】
ステップＳ１２において、外部タグ２２１のアップデートフラグがオン状態ではないと判断した場合（ステップＳ１２；ＮＯ）、検証部１０２は、内部タグ１２のイニシャルフラグがオン状態であるか否かを判断する（ステップＳ１３）。内部タグ１２のイニシャルフラグがオン状態であるか否かは、内部タグ通信部１０４が読み出したイニシャルフラグの状態によって判断することができる。ステップＳ１３においては、内部タグ通信部１０４は、イニシャルフラグを読み出すとともに、内部タグ１２に記憶された情報を読み出すようにしてもよい。
【００４６】
ステップＳ１３において、内部タグ１２のイニシャルフラグがオン状態でないと判断した場合（ステップＳ１３；ＮＯ）、制御部１０は、内部タグ１２に記憶された情報をメモリ部１１にデータ展開する（ステップＳ１４）。メモリ部１１へのデータ展開は、例えば、メモリ部１１の不揮発性記憶領域のデータを書き換えることによって行ってもよい。メモリ部１１にデータ展開された内部タグ１２に記憶された情報（展開情報）は、制御部１０又は画像処理部１３によって使用することができる。
【００４７】
ステップＳ１４の処理を実行後、制御部１０は、表示装置１の起動処理をする（ステップＳ１５）。ステップＳ１４の処理の実行後におけるステップＳ１５の起動処理は、メモリ部１１にデータ展開された展開情報を使用して実行される。例えば、展開情報が画像処理部１３で使用される画像処理パラメータであった場合、制御部１０は、ステップＳ１５の起動処理において画像処理パラメータを画像処理部１３にセットする。また、展開情報が制御部１０のプログラムの修正データであった場合、制御部１０は、ステップＳ１５の起動処理において修正データをプログラムに組み込む。内部タグ１２に記憶された情報を用いることにより、画像処理パラメータや制御部１０のプログラムを変更して表示装置１を起動することが可能となる。
【００４８】
一方、ステップＳ１３において、内部タグ１２のイニシャルフラグがオン状態であると判断した場合（ステップＳ１３；ＹＥＳ）、制御部１０はステップＳ１４の処理を実行しないで表示装置１の起動処理をする（ステップＳ１５）。すなわち、内部タグ１２に記憶された情報を用いない（画像処理パラメータ等が変更されていない）元の状態で表示装置１を起動する。
本実施形態では、内部タグ１２のイニシャルフラグの状態に応じて、上述のとおり、内部タグ１２に記憶された情報に基づき表示装置１を起動する場合と、内部タグ１２に記憶された情報に基づき表示装置１を起動する場合とを切り替えることが可能となる。
【００４９】
ステップＳ１１において、外部タグ２２１を検出していないと判断した場合（ステップＳ１１；ＮＯ）、制御部１０の検証部１０２は、ステップＳ１３の処理を実行する。すなわち、外部タグ２２１を検出していない場合には、制御部１０は、ステップＳ１２において外部タグ２２１のアップデートフラグの状態を判断することなく、ステップＳ１３の処理を実行する。
【００５０】
ステップＳ１２において、外部タグ２２１のアップデートフラグがオン状態であると判断した場合（ステップＳ１２；ＹＥＳ）、制御部１０は、データ更新処理を実行する（ステップＳ２０）。ここで、ステップＳ２０のデータ更新処理の詳細を、図４を用いて説明する。
【００５１】
図４に示すステップＳ２０のデータ更新処理において、共有化部１０３は、内部タグ通信部１０４を介して内部タグ１２に記憶された情報を読み出す（ステップＳ２０１）。ステップＳ２０１の処理を実行後、共有化部１０３は、外部タグ接続部１５を介して外部タグ２２１に記憶された情報を読み出す（ステップＳ２０２）。ステップＳ２０２の処理を実行後、共有化部１０３は、ステップＳ２０１の処理で読み出した内部タグ１２に記憶された情報と、ステップＳ２０２の処理で読み出した外部タグ２２１に記憶された情報が同一であるか否かを判断する（ステップＳ２０３）。内部タグ１２に記憶された情報と外部タグ２２１に記憶された情報が同一であるか否かは、例えばそれぞれの情報のバージョン情報や更新日時情報等の属性情報に基づき判断することができる。
【００５２】
内部タグ１２に記憶された情報と外部タグ２２１に記憶された情報が同一であると判断した場合（ステップＳ２０３；ＹＥＳ）、結合子Ａに従い、図３のステップＳ１３の処理が実行される。内部タグ１２に記憶された情報と外部タグ２２１に記憶された情報が同一である場合にはタグに記憶された情報を更新する必要がないため、例えアップデートフラグがオン状態であった場合でも以下のデータ更新の処理は行わない。これにより、タグに記憶された同じ情報で更新処理を実行することを防止することができる。
【００５３】
一方、内部タグ１２に記憶された情報と外部タグ２２１に記憶された情報が同一ではないと判断した場合（ステップＳ２０３；ＮＯ）、内部タグ１２に記憶された情報より外部タグ２２１に記憶された情報の方が新しいか否かを判断する（ステップＳ２０４）。内部タグ１２に記憶された情報より外部タグ２２１に記憶された情報の方が新しいか否かの判断は、ステップＳ２０３の処理と同様に、タグに記憶された情報のバージョン情報や更新日時情報等の属性情報に基づき判断することができる。
【００５４】
内部タグ１２に記憶された情報より外部タグ２２１に記憶された情報の方が新しいと判断した場合（ステップＳ２０４；ＹＥＳ）、制御部１０は、外部タグ２２１に記憶された情報を内部タグ１２にコピーする（ステップＳ２０５）。例えば、外部タグ２２１に記憶された情報が内部タグ１２に記憶された情報より新しい場合、情報をコピーすることによって内部タグ１２に記憶された情報を更新することができる。
【００５５】
ステップＳ２０５の処理を実行後、制御部１０は、内部タグ１２の初期状態フラグをオン状態にするとともに、外部タグ２２１のアップデートフラグをオフ状態にする（ステップＳ２０６）。
【００５６】
内部タグ１２の初期状態フラグをオン状態にすることにより、図３のステップＳ１３の処理において内部タグ１２の初期状態フラグがオン状態であると判断されて（ステップＳ１３；ＮＯ）、内部タグ１２に記憶された更新された情報がメモリ部１１に展開される。
【００５７】
また、外部タグ２２１のアップデートフラグをオフ状態にすることにより、図３のステップＳ１２の処理において外部タグ２２１のアップデートフラグがオフ状態であると判断されて（ステップＳ１３；ＮＯ）、その外部タグ２２１を使用したデータ更新処理（ステップＳ２０）が行われないことになる。したがって、例えば、更新処理に一度使用された使用済みの外部タグ２２１が内蔵された外部タグ内蔵ＡＣアダプタ２２を内部タグ１２の更新をしない表示装置１に接続した場合であっても、更新処理が実行されることが無く、不具合が発生しないようにすることができる。
【００５８】
なお、本実施形態では、１回更新処理に使用した外部タグ２２１は、アップデートフラグをオフ状態にすることにより、２回目以降の更新処理ができないようにする場合を説明したが、例えば、リーダライタを使用して、外部タグのアップデートフラグを再びオン状態にして、更新処理を可能にしてもよい。また、外部タグ２２１のアップデートフラグに所定回数ｎを記憶させておき、ステップＳ２０６の処理においてアップデートフラグを１減算することにより、アップデートフラグが０になりアップデートフラグがオフ状態になるまでｎ回の更新処理ができるようにしてもよい。
【００５９】
一方、内部タグ１２に記憶された情報より外部タグ２２１に記憶された情報の方が新しくないと判断した場合（ステップＳ２０４；ＮＯ）、制御部１０は、内部タグ１２に記憶された情報を外部タグ２２１にコピーする（ステップＳ２０７）。例えば、内部タグ１２に記憶された情報が外部タグ２２１に記憶された情報より新しい場合、情報をコピーすることによって外部タグ２２１に記憶された情報を更新することができる。例えば、１台の表示装置１の内部タグ１２に最新の情報が記憶されている場合、ユーザは、外部タグ２２１にその情報をコピーして、リーダライタを用いなくても、他の表示装置１の内部タグ１２に記憶された情報を最新の情報に更新することができる。なお、ユーザがリーダライタを使用して外部タグ２２１に記憶された情報の属性情報を設定することにより、設定された属性情報より新しい属性情報を有する内部タグ１２に記憶された情報のみを取得することができる。例えば、ユーザが外部タグ２２１に記憶された情報の属性情報を内部タグ１２に記憶された情報の属性情報より古いものにすることにより、内部タグ１２に記憶された情報を外部タグ２２１にコピーすることが可能となる。
本実施形態では、上述した更新処理によって、内部タグ１２及び外部タグ２２１に記憶された情報の管理を容易にすることができる。特に、複数の表示装置１における内部タグ１２に記憶された情報を属性情報が同じになるように統一する等の管理を容易にすることができる。
【００６０】
ステップＳ２０６又はステップＳ２０７の処理を実行後、制御部１０は、更新完了通知を行う（ステップＳ２０８）。更新完了通知は、ユーザに対して、表示装置１の内部タグ１２が更新されたことを通知する処理である。通知処理は、例えば、通知用ＬＥＤ１４１の点灯状態を点滅状態にすることによって行われる。通知処理は、表示装置１の表示部に所定の文字を表示したり、スピーカから所定の音声を出力したりするものであってもよい。ステップＳ２０８の更新完了通知は、次のステップＳ２０９の処理において電源オフするまでの数秒間、通知用ＬＥＤ１４１を点滅させるようにしてもよい。
【００６１】
ステップＳ２０９の処理を実行後、制御部１０は電源をオフ状態にして（ステップＳ２０９）、ステップＳ２０のデータ更新処理を終了する。すなわち、内部タグ１２又は外部タグ２２１に記憶された情報に対して更新処理をした場合、一度電源を切ることによって、再度電源が投入されたときに、図３で説明したステップＳ１４の処理によって内部タグ１２に記憶された更新された情報に基づき表示装置１が起動されることになる（ステップＳ１５）。
以上で、図３及び図４を用いた、制御部１０の動作の説明を終了する。
【００６２】
次に、図５を用いて画像表示部１４の外観を説明する。図５は、画像表示部１４の外観を例示する、（Ａ）正面図、及び（Ｂ）背面図である。
【００６３】
図５（Ａ）において、画像表示部１４のベゼル（外周）部分には、通知用ＬＥＤ１４１が配置されている。通知用ＬＥＤ１４１を画像表示部１４の正面に配置することによってユーザに内部タグ１２が更新されたことを通知することができる。
【００６４】
図５（Ｂ）において、画像表示部１４の背面には内部タグ１２が配置されている。本実施形態では内部タグ１２は画像表示部１４の筐体外側に貼付されている場合を例示している。内部タグ１２の配置位置を画像表示部１４の外観から視認することができるため、内部タグ１２に対してリーダライタを用いて無線通信を行う場合においてもリーダライタを適切な位置に配置することが可能となる。なお、内部タグ１２は、画像表示部１４の筐体内部に配置してもよい。
画像表示部１４の図５（Ｂ）図示右下部分には、コネクタ２１が接続されている。コネクタ２１は、ケーブル２１１を介して外部タグ内蔵ＡＣアダプタ２２に接続有れている。したがって、ユーザは、外部タグ内蔵ＡＣアダプタ２２が接続されたコネクタ２１を、画像表示部１４から容易に着脱することができる。ユーザは外した外部タグ内蔵ＡＣアダプタ２２を画像表示部１４の配置位置にかかわらず持ち運びすることができるため、例えば画像表示部１４と離れた場所に設置されたリーダライタによって外部タグ２２１に記憶された情報を読み書きすることができる。また、ユーザは、コネクタ２１が接続された状態においてもケーブル２１１の長さに応じて外部タグ内蔵ＡＣアダプタ２２を移動することもできる。
以上で、図５を用いた、画像表示部１４の外観の説明を終了する。
【００６５】
次に、図６を用いて、複数の画像表示部１４を配置するマルチディスプレイシステムの外観を説明する。図６は、複数の画像表示部１４を配置するマルチディスプレイシステムを例示する、（Ａ）正面図、及び（Ｂ）背面図である。図６で説明するマルチディスプレイシステムは、図５で説明した画像表示部１４をタイリング配置したシステムである。
【００６６】
図６（Ａ）におけるマルチディスプレイシステムは、図示左上から、画像表示部１４−１、画像表示部１４−２、画像表示部１４−３、及び画像表示部１４−４の４台の画像表示部１４を縦横２×２の配列で配置した場合を例示している。
【００６７】
図６（Ｂ）において、画像表示部１４−１〜画像表示部１４−４のそれぞれの背面には、図５（Ｂ）と同様に、コネクタ２１−１〜コネクタ２１−４が接続されている。コネクタ２１−１〜コネクタ２１−４には、それぞれ、ケーブル２１１−１〜ケーブル２１１−４が接続されて、それぞれのケーブルを介して外部タグ内蔵ＡＣアダプタ２２―１〜外部タグ内蔵ＡＣアダプタ２２―４が接続されている。したがって、外部タグ内蔵ＡＣアダプタ２２―１〜外部タグ内蔵ＡＣアダプタ２２―４に内蔵されている図示しないそれぞれの外部タグ２２１−１〜外部タグ２２１−４は、画像表示部１４−１〜画像表示部１４−４の設置状況にかかわらずリーダライタを用いて容易に読み書きが可能となる。
【００６８】
なお、図６は、図５で説明した画像表示部１４を複数配置する場合を説明したが、例えば、図１で説明した表示装置１の機能ブロックの中で画像表示部１４以外の所定の機能ブロックをマルチディスプレイシステムで共有化するようにしてもよい。例えば、制御部１０や画像処理部１３を複数の表示装置で共有することによって、コストの削減を図ることができる。
以上で、図６を用いた、複数の画像表示部１４を配置するマルチディスプレイシステムの外観の説明を終了する。
【００６９】
次に、図７を用いて、本発明の他の実施形態である表示装置の構成を説明する。図７は、本発明の他の実施形態である表示装置の構成を例示するブロック図である。
図７において、表示装置５は、外部タグを検出する検出部５１と、前記検出部５１が検出した外部タグに記憶された情報を検証する検証部５２と、前記検証部５２が検証した検証結果に基づき、前記外部タグと内部タグに記憶する情報を共有化する共有化部５３と、前記内部タグと通信して前記共有化部５３で共有化された前記内部タグに記憶された情報を読取る内部タグ通信部５４と、前記内部タグ通信部５４で読取られた前記内部タグに記憶された情報に基づき画像を表示する画像表示部５５とを備える。
以上で、図７を用いた、本発明の他の実施形態である表示装置の構成の説明を終了する。
【００７０】
なお、上述した表示装置１は、ディスプレイが接続可能なコンピュータで実現するようにしてもよい。その場合、各機能ブロックの機能を実現するためのプログラムをコンピュータ読み取り可能な記録媒体に記録して、この記録媒体に記録されたプログラムをコンピュータシステムに読み込ませ、実行することで実現してもよい。ここでいう「コンピュータシステム」とは、ＯＳや周辺機器等のハードウエアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００７１】
また、制御部１０の各機能は、上記説明した機能を有する限り、複数の図示した機能ブロックを１の機能ブロックにまとめて実装してもよいし、図示した１の機能ブロックを複数の機能ブロックとして分割して実装してもよい。また、それぞれの機能ブロックの一部又は全部をハードウエアによって構成するようにしてもよい。
【００７２】
以上、この発明の実施形態について図面を参照して詳述してきたが、具体的な構成はこの実施形態に限られるものではなく、この発明の要旨を逸脱しない範囲の設計等も含まれる。
本実施形態で説明した制御部１０の各動作は、コンピュータ読み取り可能な記録媒体に記録され、コンピュータシステムのＣＰＵ１０１によって実行されるプログラムによって実現される。ただし、制御部１０の動作の実現方法は本実施形態に限定されるものではない。例えば、制御部１０の全ての機能又は一部の機能は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのＬＳＩによって実装されるファームウエアで実現してもよい。
【符号の説明】
【００７３】
１、５  表示装置
１０  制御部
１０１、５１  検出部
１０２、５２  検証部
１０３、５３  共有化部
１０４、５４  内部タグ通信部
１１  メモリ部
１３  画像処理部
１４、５５  画像表示部
１４１  通知用ＬＥＤ
１５  外部タグ接続部
１６  電源部
１６１  ＡＣ電源接続部
２１  コネクタ
２１１  ケーブル
２２  外部タグ内蔵ＡＣアダプタ
２２１  外部タグ
２２２  差込みプラグ
【図１】
2016206855.tif 000003
【図２】
2016206855.tif 000004
【図３】
2016206855.tif 000005
【図４】
2016206855.tif 000006
【図５】
2016206855.tif 000007
【図６】
2016206855.tif 000008
【図７】
2016206855.tif 000009